(57)【特許請求の範囲】
【請求項１】
ドアに屋内外の換気をするための換気口を開設する一方、ドアの屋外側面に、前記換気口を換気可能な状態で覆う飾りパネルを設けると共に、ドアの中央部に採光窓が取付けられ、該採光窓の左右両側部に、換気口と塞ぎ体とフード体と飾りパネルとで構成される換気部がそれぞれ配されている建物用ドアとするにあたり、左右の換気口を覆う飾りパネルは、採光窓部位において連結され、飾りパネルの左右方向中央部に形成された換気孔を介して換気されるように構成されていることを特徴とする建物用ドア。
【請求項２】
請求項１において、左右の換気口を覆う飾りパネルは、採光窓部位において連結され、飾りパネルの左右両側部に形成された換気孔を介して換気されるように構成されていることを特徴とする建物用ドア。
【請求項３】
請求項１または２において、採光窓と一対の換気部とは、一つのユニットとしてドアに組込まれるように構成されていることを特徴とする建物用ドア。
【発明の詳細な説明】
【０００１】
【発明の属する技術分野】
本発明は、住宅やマンションの玄関等の出入り口部に設置される建物用ドアの技術分野に属するものである。
【０００２】
【従来の技術】
一般に、この種住宅やマンションの玄関等に設置される建物用のドアにおいては、ドアの表面に装飾用として種々の意匠を採用することにより、ドアに多様性を持たせている。そして、このような建物用ドアをマンション等の玄関に設ける場合、建築物の封止性が優れているため、建築物の内外の換気性が損なわれてしまうという問題がある。そこで、建物用ドアの一部に換気用の開口（換気口）を設け、該換気口にガラリを設けて開閉できるように構成し、換気口の開放で屋内外の換気を行うようにしたものが知られている。
【０００３】
【発明が解決しようとする課題】
しかるに、前記従来の換気口付の建物用ドアは、換気口がそのまま屋外側に露出しているため、換気口を開放したとき換気口を介して屋内側が望めてしまうという問題があるうえ、換気口部位に設けられたガラリは、屋内側にそのまま露出されているため、どうしても意匠的に損なわれ、玄関等に設けるには好ましくないという問題があった。そのうえ、従来のものでは、意匠性を損なうことがないよう換気口自体を小さく形成しているため換気量が少なくなってしまい換気効果小さいという問題もあり、ここに本発明が解決しようとする課題があった。
【０００４】
【課題を解決するための手段】
本発明は、上記の如き実情に鑑み、これらの課題を解決することを目的として創作されたものであって、請求項１の発明は、ドアに屋内外の換気をするための換気口を開設する一方、ドアの屋外側面に、前記換気口を換気可能な状態で覆う飾りパネルを設けると共に、ドアの中央部に採光窓が取付けられ、該採光窓の左右両側部に、換気口と塞ぎ体とフード体と飾りパネルとで構成される換気部がそれぞれ配されている建物用ドアとするにあたり、左右の換気口を覆う飾りパネルは、採光窓部位において連結され、飾りパネルの左右方向中央部に形成された換気孔を介して換気されるように構成されていることを特徴とする建物用ドアである。
そして、このようにすることにより、換気口を介して屋内側が臨めるようなことがないようにできる。
請求項２の発明は、請求項１において、左右の換気口を覆う飾りパネルは、採光窓部位において連結され、飾りパネルの左右両側部に形成された換気孔を介して換気されるように構成されていることを特徴とする建物用ドアである。
請求項３の発明は、請求項１または２において、採光窓と一対の換気部とは、一つのユニットとしてドアに組込まれるように構成されていることを特徴とする建物用ドアである。
【０００５】
【発明の実施の形態】
次に、本発明の第一の実施の形態を図1〜図４の図面に基づいて説明する。
図面において、１はマンションの玄関に取付けられた建物用のドアであって、該ドア１は、躯体側の開口部に矩形状に配された戸枠２に対し、蝶番３を介して前後方向（屋内外方向）揺動自在に取付けられている。
【０００６】
さて、前記ドア１は、スチール製板材を折曲形成して構成された屋内外一対の面板４、５を、骨材６を介して一体化することで形成されている。そして、両面板４、５の左右方向中央部には矩形状の開口が形成されており、該開口に、採光窓部７と、該採光窓部７の左右に位置する左右一対の換気部８が組込まれた中央部ユニットＵが取付けられるように設定されている。尚、前記開口形成部位の上下端部は、屋外面板５を屋内側に折曲して凹部５ａに形成されており、該部位のドア厚が略半分となるように形成されている。
【０００７】
前記中央部ユニットＵを構成する主枠材９は、中央部の開口部を囲繞するべく、屋外面板５と略面一状に形成される上下、左右の片部９ａ、９ｂと、上下の片部９ａを連結する上下方向に長い仕切り片部９ｃとを備えて構成され、前記開口部に左右方向に三つの第一、第二、第三空間部Ｓ１、Ｓ２、Ｓ３が並列状に形成されている。尚、上下の片部９ａは、屋外面板５の前記凹部５ａに対向しており、上下片部９ａの内側縁部を除くそれぞれの端縁部からは、屋外面板５側に向く折曲片９ｄが形成され、先端部が屋外面板５に突当てられる構成となっている。さらに、左右の片部９ｂの外側縁部には、ドア１に形成された開口端面に沿うようドア厚長さに設定された折曲片９ｅがそれぞれ形成されている。
【０００８】
一方、採光窓部７は、ガラス板材７ａと、該ガラス板材７ａの四周に組込まれる窓用フレーム材７ｂとで構成され、ガラス板材７ａが前記主枠材９に形成される第二空間部Ｓ２と略同形状になるように形成されている。そして、採光窓部７は、窓用フレーム材７ｂの屋外側面を主枠材９の仕切り片部９ｃと上下の片部９ａの屋内側面に接着等の固定手段により固定することで、第二空間部Ｓ２に固定支持されている。さらに、採光窓部７の窓用フレーム材７ｂのうち、上下に位置する窓用フレーム材７ｂは、ドア厚方向に向く突片部７ｃと、屋内面板４に沿うよう折曲された支持片部７ｄとが一体形成されており、各片部７ｃ、７ｄとを、ドア１の開口端面と屋内面板４とに固定することでも、採光窓部７の支持がなされるように構成されている。
【０００９】
さらに、中央部ユニットＵには、採光窓部７の左右に一対の換気部８がそれぞれ組込まれているが、このとき、前記第一、第三空間部Ｓ１、Ｓ３が換気口に相当しており、該換気口Ｓ１、Ｓ３を開閉する各種部材とともに換気部８が構成されている。
前記一対の換気部８は左右対称状のものが設けられる構成であり、ここでは、図３（Ａ）の図面向かって左側の換気部８について説明し、右側の換気部８については同様の符号を付すことで、説明を省略する。
換気部８は、換気口Ｓ１の上下方向長さと略同寸法に設定される換気部フレーム材１０と、該換気部フレーム材１０と略同寸法に設定され、換気口Ｓ１の開閉をする塞ぎ体１１と、ドア１の上下方向全長と略同寸法に形成され、前記換気部フレーム材１０と塞ぎ体１１とを屋内側から覆うように取付けられるフード体１２とを備えて構成されている。そして、換気部フレーム材１０は、第一空間部Ｓ１上方に位置する主枠材９の上下片部９ａに固定される取付け片部１０ａと、該取付け片部１０ａの左右両側縁部から屋内側に向けて折曲する第一、第二脚片１０ｂ、１０ｃとを備えて構成されている。そして、換気部フレーム材１０は、前記上下の取付け片部１０ａを上下片部９ａに固定することで中央部ユニットＵに支持されるように設定されている。
尚、１０ｄは、換気部フレーム材１０に形成される開口部に一体的に取付けられた防虫網である。
【００１０】
前記塞ぎ体１１は、第一空間部Ｓ１を開閉するべく上下方向に長い長尺体に形成されており、長尺方向の一側縁部が、換気部フレーム材第一脚片１０ｂのドア厚方向中間部に形成された段差部１０ｅに、ピン１１ａを介して揺動自在に蝶着される一方、長尺方向他側縁部は、換気部フレーム材第二脚片１０ｃのドア厚方向中間部に形成された段差部１０ｆに離接自在に当接する構成となっている。そして、塞ぎ体１１は、他側縁部が第二脚片段差部１０ｆに当接することにより、第一空間部Ｓ１を閉鎖して屋内外を遮断する閉鎖姿勢（図３（Ａ）における破線）となり、また、ピン１１ａを支点として屋内側に揺動することで第一空間部Ｓ１を開放して屋内外を換気する開放姿勢（図３（Ａ）における実線）とに揺動変姿する構成となっている。因みに、塞ぎ体１１は、弾機（図示せず）により閉鎖姿勢側に向けて付勢されている。
さらに、塞ぎ体１１は、フード体１２を介して外部に突出して配される図示しないレバーの操作により、閉鎖姿勢または開放姿勢の何れかの姿勢に自由に変姿させることができるように設定されている。
【００１１】
このように、主枠材９に、採光窓部７と換気部用フレーム材１０、そして塞ぎ体１１とが組込まれた状態を中央部ユニットＵとしてドア１に組込むが、このとき、中央部ユニットＵは、主枠材上下片部９ａを屋外面板凹部５ａに対向せしめ、上下片部９ａ先端の折曲片９ｄを、前記凹部５ａの上端部に配された骨材６に突当てて螺子止め固定するとともに、換気部用フレーム材１０の第一脚片１０ｂ先端に折曲形成された支持片部１０ｇをドア１開口の屋内側縁部に突当てて、螺子１０ｈを用いて螺合することでドア１に固定されるように設定されている。
そして、この組込み状態において、前記フード体１２が屋内側から取付けられるように設定されている。つまり、前記フード体１２は、塞ぎ体１１を屋内側から覆うように配されるものであって、塞ぎ体１１の開放姿勢を許容するように屋内側に膨出する断面略凵字形状に形成されている。そして、フード体１２は、一方の脚片１２ａを、換気部用フレーム材１０の第二脚片１０ｃに固定するとともに、他方の脚片１２ｂを、前記支持片部１０ｇの先端に屋内側に突出する用折曲形成された突片１０ｉに突当てて螺子１０ｊを用いて螺合することで、中央部ユニットＵに固定されるように設定されている。
尚、フード体１２の屋内側面には、中央側に向けて傾斜する傾斜面部１２ｃが形成されており、該傾斜面部１２ｃに、上下方向に複数の通気孔１２ｄが開設されており、これら通気孔１２ｄを介してフード体１２の内外の通気できるように設定されており、塞ぎ体１１の開放姿勢において、通気孔１２ｄと第一空間部Ｓ１とが連通されるように設定されている。
【００１２】
１３は中央部ユニットＵの屋外側面に取付けられる飾りパネルであって、該飾りパネル１３は、左右の換気部８の屋外側に設けられて、換気口Ｓ１、Ｓ３を覆うように設けらるものであり、中央部ユニットＵをドア１の開口に組込んだ後に取付けられるように設定されている。尚、本実施の形態の飾りパネル１３は、ドアに重厚感や高級感を付与できるようにアルミ製の鋳物で一体型成形されたものとなっている。
前記飾りパネル１３は、左右の換気部８の屋外側に所定間隔を存して位置し、換気部８に形成されている第一、第三空間部Ｓ１、Ｓ３を覆う一対の本体部１３ａと、これらを上下方向に所定間隙を存して連結する複数の連結片部１３ｂとを備えて形成されている。そして、本体部１３ａの屋内側面の上下端部の各コーナー部となる四箇所には、屋内側に向けて突出する脚部１３ｃがそれぞれ形成されており、該脚部１３ｃを螺子１３ｄを用いて中央部ユニットＵの主枠材上下片部９ａにそれぞれ螺合することにより飾りパネル１３の中央部ユニットＵ屁の取付けがなされている。そして、飾りパネル１３と換気口Ｓ１、Ｓ３とのあいだには、連結片１３ｂ間同志のあいだである中央部位や、飾りパネル１３の左右端部位に位置して換気孔Ｈとなる隙間が形成されており、これによって、ドア１の屋内外の通気は、図３に示す矢印のように、換気孔Ｈ、換気口Ｓ１、Ｓ３、フード体通気孔１２ｄを介してなされるように設定されている。
【００１３】
叙述の如く構成された本発明の実施の形態において、建物用のドア１は、ドア１の屋内外を貫通する換気口Ｓ１、Ｓ２が形成されて、通気性（換気性）に優れたものに構成されているが、この場合に、換気口Ｓ１、Ｓ２は、屋外面板５に取付けられた鋳物製の飾りパネル１３により覆蓋されていて、外部から直接目視できないようになっている。従って、飾りパネル１３は、換気口Ｓ１、Ｓ３が開放して屋内外が連通した状態となってもそれを目隠しして、屋内側が見えないように目隠し機能を果すことができる。そのうえ、飾りパネル１３を設けることで、ドア１に重厚感や高級感を付与することができ、この結果、仮令換気口Ｓ１、Ｓ３を大きく確保して換気効果を高めるように構成したとして、該換気口Ｓ１、Ｓ３は飾りパネル１３で覆われるため、換気口Ｓ１、Ｓ３の開放時に屋内側が見えてしまうような不具合がなく、もって、取付け場所や環境等により適宜自由に換気口Ｓ１、Ｓ３の大きさを設定することができる。
しかも、この場合に、換気口Ｓ１、Ｓ３は上下方向に長く形成される一方、飾りパネル１３と換気口Ｓ１、Ｓ３とのあいだには隙間が形成されており、左右の換気口Ｓ１、Ｓ３を塞ぐ本体部１３ａ同志を連結する連結片１３ｂ間や、左右端部位において換気孔Ｈが形成されていて、該換気孔Ｈを介しての換気性能が何ら損なわれることはなく、効率良く屋内外を換気できる。
【００１４】
さらに、本実施の形態のドア１においては、換気口Ｓ１、Ｓ３は上下方向に長いものになっていて換気性能については向上するものであるが、換気口Ｓ１、Ｓ３の屋内側部位には、換気口Ｓ１、Ｓ３を開閉するための塞ぎ体１１が屋内側から操作可能な状態で取付けられている。このため、冬季の換気が不要な時には塞ぎ体１１を閉鎖し、夏季の暑い季節には開放する等することにより、周囲の環境に応じて適宜換気口Ｓ１、Ｓ３の開閉ができて、機能性に優れる。
【００１５】
そのうえ、このものでは、屋内側に塞ぎ体１１を覆うようにフード体１２が通気可能な状態で設けられているため、内嵌状態においても意匠性に優れており建築物の玄関等の開口部に設けても、何ら違和感を与えることがない。
【００１６】
また、前記実施の形態のものでは、中央に採光用の採光窓部７が設けられ、該採光窓部７の左右に一対の換気部８が配される構成になっており、意匠性にも優れるているが、そのうえ、このようなドア１をマンションの玄関のように、屋内側が暗くなりがちな箇所に取り付けたような場合では、屋内部を明るくできるという利点がある。
しかも、このものでは、採光窓部７と換気部８の換気用フレーム１０、塞ぎ体１１とを組込んだ状態の中央部ユニットＵをドア１に予め組込んだ後、該中央部ユニットＵにフード体１２と飾りパネル１３とを取付けることでドア１を組み立てることができ、作業性が向上する。
【００１７】
尚、本発明は前記実施の形態に限定されないことは勿論であって、図５、６、７に示す第二の実施の形態のようにすることもできる。
この建物用のドア１４は、中央の採光窓部７の左右に、前記第一の実施の形態よりも左右幅の広い換気部１５が形成されている。そして、このものでは、一対の換気部１５を構成する格子状に開設された換気口Ｓ１、Ｓ３に、塞ぎ体として左右方向を向く複数の羽根１６ａと、これら羽根１６ａを換気口Ｓ１、Ｓ３を開放する水平姿勢と閉鎖する傾斜姿勢とに揺動変姿せしめるリンク体１６ｂとを備えた構成されたガラリ１６が設けられたものになっている。尚、このものにおいても、ドア１４は、採光窓部７と換気部１５とを組込んだ中央部ユニットＵを形成し、このものをドア１４の開口に取付けるようにして構成されている。また、このものでは、ガラリ１６の羽根１６ａ幅がドア厚と略同寸法となっているうえ、前記第一の実施の形態の塞ぎ体１１のように、換気口Ｓ１、Ｓ３を開閉するための作動が屋内側に突出する構成ではないためガラリ１６の屋内側に配される通気孔１７ａ付きのフード体１７を格別屋内側に突出させる必要がなく、屋内側部位をすっきりとしたものにできるが、換気性能については、換気口Ｓ１、Ｓ３に羽根１６ａが水平姿勢となって位置したままである分、前記第一の実施の形態のものよりは劣る。因みに、このものにおいても、屋外側に飾りパネルを設けることができ、換気口Ｓ１、Ｓ３と間隙を存して配することで換気可能とすることができる。
【００１８】
次に、図８、９に示す第三の実施の形態について説明するこのものは、中央部ユニットＵととして、中央に幅広の換気部１８を組込み、該換気部１８の左右に一対の採光窓部７を組込んだものとし、このものを、ドア１９の中央部開口に取付けたものとなっており、これ以外の構成については、前記第二の実施の形態と略同様なものとなっている。そして、このものにおいても、換気部１８には、塞ぎ体として左右方向を向く複数の羽根１６ａとリンク体１６ｂとを備え、羽根１６ａの揺動で換気口Ｓ１、Ｓ３を開閉するガラリ１６が設けられたものになっている。
【００１９】
また、図１０、１１、１２に示す第四の実施の形態のものは、中央部に配した換気部２０は、中央部に開設された換気口２１に複数の羽根２２を傾斜状に配し、これら羽根２２の変位で換気口２１を開閉する構成とし、屋内側に配した通気孔２３ａ付きのフード体２３を介して屋内外の通気を行う構成となっている。さらに、このものでは、換気２０の左右両側に採光窓部２４が配されている。
因みに、前記第三、第四の実施の形態についても、屋外側に飾りパネルを設けることで換気口が露出しない構成とすることができる。
【００２０】
このように、本発明は、換気口を開閉自在に構成するとともに、換気口が外部に露出しないように構成するものであり、換気口を覆う飾りパネルとしては、装飾性のあるものを用いることで意匠性の優れたものとするすることができるとともに、多種多様な意匠を備えたものにすることができる。
【図面の簡単な説明】
【図１】建物用のドアの正面図である。
【図２】建物用のドアの背面図である。
【図３】図３（Ａ）、（Ｂ）は、それぞれ図１の一部を省略したＸ−Ｘ断面図、Ｙ−Ｙ断面図である。
【図４】図１の一部を省略したＺーＺ断面図である。
【図５】図５（Ａ）、（Ｂ）はそれぞれ第二の実施の形態のドアにおける正面図、背面図である。
【図６】図５（Ａ）のＸ−Ｘ断面図である。
【図７】図７（Ａ）、（Ｂ）はそれぞれ図５（Ａ）のＹ−Ｙ断面図、Ｚ−Ｚ断面図である。
【図８】図８（Ａ）、（Ｂ）はそれぞれ第三の実施の形態のドアにおける正面図、背面図である。
【図９】図８（Ａ）のＸ−Ｘ断面図である。
【図１０】図１０（Ａ）、（Ｂ）はそれぞれ第三の実施の形態のドアにおける正面図、背面図である。
【図１１】図１０（Ａ）のＸ−Ｘ断面図である。
【図１２】図１２（Ａ）、（Ｂ）はそれぞれ図１０（Ａ）のＹ−Ｙ断面図、Ｚ−Ｚ断面図である。
【符号の説明】
１    ドア
２    戸枠
３    蝶番
４    屋内面板
７    採光窓部
８    換気部
９    主枠材
１０    換気部フレーム材
１１    塞ぎ体
１１ａ    ピン
１２    フード体
１２ｄ    通気孔
１３    飾りパネル
１３ａ    本体部
１３ｂ    連結片部
１３ｃ    脚部
Ｓ１    換気口
Ｈ    換気孔
【図１】
0003879039.tif 000002
【図２】
0003879039.tif 000003
【図３】
0003879039.tif 000004
【図４】
0003879039.tif 000005
【図５】
0003879039.tif 000006
【図６】
0003879039.tif 000007
【図７】
0003879039.tif 000008
【図８】
0003879039.tif 000009
【図９】
0003879039.tif 000010
【図１０】
0003879039.tif 000011
【図１１】
0003879039.tif 000012
【図１２】
0003879039.tif 000013